Podtech/llm-jp-corpus-v4-ja_patent huggingface dataset:
(57)【要約】      （修正有）【課題】タワークレーンにおいて、脱着が簡単、且つ安全なステー材用の抜け止めピンを提供する。【解決手段】棒鋼軸部１、棒鋼横穴２、棒鋼頭部３、アイボルト４、チェーン５、および、ロックバネピン６を備える。棒鋼軸部１は、ステー材ピン１０の穴径に合わせた外径とする。棒鋼横穴２は、柱状の棒鋼軸部１の側面に、ステー材ピン１０の外径に合わせた位置に複数箇所設ける。棒鋼頭部３は、棒鋼軸部１の一端に形成され、ステー材ピン１０の穴に入り込まないように、棒鋼軸部１の直径よりも大きくする。アイボルト４は、チェーン５を取り付けるために設けられる環状の部材であり、棒鋼頭部３に接続される。チェーン５は、落下防止用に用い、一端がアイボルト４に連結される。ロックバネピン６は、抜け止め用でチェーン５の他端に接続し、バネ鋼により製作する。【選択図】図４
0003155907.tif 000002
【実用新案登録請求の範囲】
【請求項１】
１つ以上の穴が設けられた棒鋼と、その穴に挿すことが可能なロックバネピンとを備える、タワークレーンのステー材用の抜け止めピン。
【考案の詳細な説明】
【技術分野】
【０００１】  本考案はタワークレーンのステー材ピンの抜け止め用に使用する抜け止めピンに関する。
【背景技術】
【０００２】  従来、タワークレーンに関する特許文献としては、特許文献１に記載するものがある。従来のタワークレーンにおいては、ステー材ピンの抜け止めを防止するために、いわゆる「ワリピン」が用いられていた。すなわち、ステー材ピンの穴にあった「ワリピン」を入れ、その先を開いて抜け止めとする。解体時には、開いたワリピンをまっすぐ元に戻し、ステー材ピンの穴に戻し入れて外す。
【先行技術文献】
【特許文献】
【０００３】
【特許文献１】特関平０７−２９１５８７号公報
【考案の概要】
【考案が解決しようとする課題】
【０００４】  上記のワリピン使用の場合、太いサイズのワリピンは割りにくく、また、タワークレーン解体時にワリピンを抜く際も、ピン側の穴にまっすぐ戻さねばならない為、特に高所作業の場合は脱着が非常に危険で且つ困難である。しかも、再利用不可のため、コストがかかる。
【課題を解決するための手段】
【０００５】  本考案は、１つ以上の穴が設けられた棒鋼と、その穴に挿すことが可能なロックバネピンとを備える、タワークレーンのステー材用の抜け止めピンである。
【考案の効果】
【０００６】  本考案によれば、タワークレーンステー材ピンの取付が簡単であり、再利用出来るため、コスト的にも安くなる。
【図面の簡単な説明】
【０００７】
【図１】ステー材ピンを示す図である。
【図２】抜け止めピンを上面から示す図である。
【図３】抜け止めピンを側面から示す図である。
【図４】ステー材ピンに抜け止めピンを装着したものを示す図である。
【考案を実施するための形態】
【０００８】  図１は、ステー材ピンを示す図である。図２は、抜け止めピンを上面から示す図である。図３は、抜け止めピンを側面から示す図である。なお、図３では、チェーン５およびロックバネピン６を省略している。図４は、ステー材ピンに抜け止めピンを装着した図である。
【０００９】  本考案の抜け止めピンは、図２に示すように、棒鋼軸部１、棒鋼横穴２、棒鋼頭部３、アイボルト４、チェーン５、および、ロックバネピン６を備える。棒鋼軸部１は、ステー材ピン１０の穴径に合わせた外径とする。棒鋼横穴２は、図２および図３に示すように、柱状の棒鋼軸部１の側面に、ステー材ピン１０の外径に合わせた位置に複数箇所設けられる。棒鋼頭部３は、棒鋼軸部１の一端に形成され、ステー材ピン１０の穴に入り込まないように、棒鋼軸部１の直径よりも大きい。アイボルト４は、チェーン５を取り付けるために設けられる環状の部材であり、棒鋼頭部３に接続される。チェーン５は、落下防止用に用いられ、一端がアイボルト４に連結される。ロックバネピン６は、チェーン５の他端に接続され、抜け止め用でバネ鋼の加工品とする。
【００１０】  上記抜け止めピンを作成するためには、図１のステー材ピン１０の穴径に合わせて棒鋼を削ることで棒鋼軸部１を作成し、棒鋼頭部３に、アイボルト４のネジサイズに合わせた内ネジを立て、アイボルト４を取り付け、且つ、ネジが抜けないように溶接を施す。さらに棒鋼軸部１には、ステー材ピン１０の太さに合わせた穴２を数箇所あける。穴２は１箇所でもよいが、複数箇所穴２をあけることにより、複数種類のステー材ピンに１本の抜け止めピンで対応出来る。またロックバネピン６には、落下防止用のチェーン５を取り付けることにより、高所作業での落下を防ぐ。
【００１１】  また、図１のステー材ピン１０に抜け止めピンを取り付ける際には、ステー材ピン穴に棒鋼軸部１を挿入し、図４に示すように、複数箇所の穴２のうちで、ステー材ピンの太さに合った位置の穴２にロックバネピン６をセットする。
【産業上の利用可能性】
【００１２】  本考案は、タワークレーンのステー材のピンの抜け止め用として、使用するものである。
【符号の説明】
【００１３】１  棒鋼軸部
２  穴
３  棒鋼頭部
４  アイボルト
５  チェーン
６  ロックバネピン
１０  ステー材ピン
【図１】
0003155907.tif 000003
【図２】
0003155907.tif 000004
【図３】
0003155907.tif 000005
【図４】
0003155907.tif 000006
(57)【要約】【課題】ねぶた祭りの花笠は、機動性に欠け、かぶらない人が多く、特に子供は花笠をかぶることがほとんどない。ねぶた祭りを親子で盛り上げるために、花笠に代わる帽子を開発した。【解決手段】開発した帽子は、伝統的な金魚ねぶたを模したもので、金魚の胴体部分にあたる帽子本体に目、鼻、胸びれ、尾びれ、鈴を付けた。【選択図】図５
0003155910.tif 000002
【実用新案登録請求の範囲】
【請求項１】
金魚ねぶたを模した帽子であり、金魚の目、鼻、胸びれ、尾びれと鈴がついている。
【考案の詳細な説明】
【技術分野】
【０００１】
本考案は、金魚ねぶたを模した帽子に関するものである。
【背景技術】
【０００２】
金魚ねぶたとは、金魚の形をした提灯で、ねぶた祭では主に小さな子供たちの持ち歩き用のねぶたとして使われている。金魚ねぶたの形は江戸時代から津軽地方で飼育されていた金魚「津軽錦」（つがるにしき）がモデルとなったと言われており、まん丸い胴体に大きな目、立派な胸びれと尾びれ、そして背びれのないのが特徴である。
【０００３】
ねぶた祭りでは、昔から花笠をかぶって踊るのが一般的であったが、花笠は竹を使った複雑な構造で機動性に欠ける点があり、持ち運びに不便であることから、かぶる人は少なく、特に子供はほとんど花笠をかぶっていないのが現状であった。
【考案の概要】
【考案が解決しようとする課題】
【０００４】
解決しようとする問題点は、ねぶた祭りの花笠が機動性に欠け、かぶらない人が多い点である。特に将来を担う子供たちのために、これに代わる帽子を考案し、大人、子供がそろってお祭りを楽しむことが出来るようにするものである。
【課題を解決するための手段】
【０００５】
伝統的な金魚ねぶたを模した帽子を考案したものであり、帽子が金魚の胴体部分となっており、それには、大きな目、鼻、胸びれ、尾びれ、そして鈴が付いているのが特徴である。
【考案の効果】
【０００６】
本考案の金魚ちゃんきゃっぷは、機動性のある帽子本来の機能とともに、伝統的な金魚ねぶたをイメージさせるものであり、この帽子をかぶることによって、大人から子供まで、気軽にねぶた祭りを楽しむことができるという利点がある。
【図面の簡単な説明】
【０００７】
【図１】図１は金魚ちゃんきゃっぷの正面図である。
【図２】図２は金魚ちゃんきゃっぷの後面図である。
【図３】図３は金魚ちゃんきゃっぷの側面図である。
【図４】図４は金魚ちゃんきゃっぷの平面図である。
【図５】図５は金魚ちゃんきゃっぷをかぶったときの正面図である。
【図６】図６は金魚ちゃんきゃっぷをかぶったときの側面図である。
【図１】
0003155910.tif 000003
【図２】
0003155910.tif 000004
【図３】
0003155910.tif 000005
【図４】
0003155910.tif 000006
【図５】
0003155910.tif 000007
【図６】
0003155910.tif 000008
【手続補正書】
【提出日】平成21年10月3日(2009.10.3)
【手続補正１】
【補正対象書類名】実用新案登録請求の範囲
【補正対象項目名】全文
【補正方法】変更
【補正の内容】
【実用新案登録請求の範囲】
【請求項１】
金魚の目、鼻、胸びれ、尾びれ、及び、鈴を付けた金魚ねぶたを模した帽子。
(57)【要約】      （修正有）【課題】ウエットスーツ着脱時の下着の捲り上がりを防止するとともに、摩擦抵抗を少なくし着脱を容易にすることができるアンダータイツを提供する。【解決手段】タイツ部１と親指と人差指に相当する部分に切込み部３を設けたソックス部２が一体型になっていることを特徴とする。タイツ部１は着衣時にズレを生じない適度な伸縮性があり、摩擦抵抗および吸水性が少ない材料とする。腰周りまでの高さとしたタイツ部１または、該タイツ部１が上半身を覆う上半身部１ａと下半身を覆う下半身部１ｂからなっている。【選択図】図１
0003155904.tif 000002
【実用新案登録請求の範囲】
【請求項１】
腰周りまでの高さとした下半身部を覆うタイツ部（１）と親指と人差指に相当する部分に切込み部（３）を設けたソックス部（２）が一体型になっていることを特徴とするウエットスーツ用ソックス一体型アンダータイツ。
【請求項２】
タイツ部（１）が上半身部（１ａ）と下半身部（１ｂ）と一体型となる請求項１記載のウエットスーツ用ソックス一体型アンダータイツ。
【考案の詳細な説明】
【技術分野】
【０００１】  本発明は、ウェットスーツ用ソックス一体型アンダータイツに関するものである。
【背景技術】
【考案の概要】
【０００２】  ウェットスーツ用の保温性を高めるために、下着としてソックスとタイツを別々に使用していた。
【考案が解決しようとする課題】
【０００３】  アンダー着としてソックスとタイツを別々に使用すると、ウェットスーツの着脱時に、それらが捲り上がり着脱を困難としていた。また、一体的でないために保温性の確保が難しかった。さらに、ソックスの指が一体的となっており、鼻緒型のサンダルや同型のブーツを使用することが不可能であった。
本考案は以上の問題点を解決するものである。
【課題を解決するための手段】
【０００４】  タイツ部（１）と親指と人差指に相当する部分に切込み部（３）を設けたソックス部（２）が一体型になっていることを特徴とするウエットスーツ用ソックス一体型アンダータイツ。
【考案の効果】
【０００５】  腰周りからつま先までを一体となったアンダータイツを使用することで、ウェットスーツ着脱時の下着の捲り上がりを防止するとともに、摩擦抵抗を少なくし着脱を容易にすることができる。また、一体型とすることで、ウェットスーツ着用時の保温性を格段に向上させることができる。
さらに、ソックス部に切れ込みを入れることで、鼻緒型のサンダルや同型のブーツを使用することも可能となる。
【図面の簡単な説明】
【０００６】
【図１】本考案の斜視図  Ａ  請求項１の実施例を示す斜視図  Ｂ  請求項２の実施例を示す斜視図
【図２】ソックス部分の拡大図
【考案を実施するための形態】
【０００７】  タイツ部（１）は着衣時にズレを生じない適度な伸縮性があり、摩擦抵抗および吸水性が少ない材料とする。
腰周りまでの高さとしたタイツ部（１）または、前記タイツ部（１）が上半身を覆う上半身部（１ａ）と下半身を覆う下半身部（１ｂ）からなり、親指と人差指に相当する切込み部（３）を設けたソックス部（２）が一体型になっていることを特徴とするウエットスーツ用ソックス一体型アンダータイツ。
後述した上半身部（１ａ）の形状は、ノースリーブ型、長袖型、もしくは半袖型とする。
本発明を使用するときは、ウエットスーツの下に着用して使用する。
【符号の説明】
【０００８】１  タイツ部、１ａ  上半身部、１ｂ  下半身部、２  ソックス部、３  切込み部
【図１】
0003155904.tif 000003
【図２】
0003155904.tif 000004
(57)【要約】      （修正有）【課題】新たに独自のオリジナルのデザインを印刷もしくは手書きで書き込むことができるトランプカードを提供する。【解決手段】カード正面の隅の部分にはスペード、ハート、ダイヤ、クラブの記号やＡ、２、３、４、５、６、７、８、９、１０、Ｊ、Ｑ、Ｋ、ＪＯＫＥＲなどの数字やアルファベットがあらかじめ印刷されているが、各カード正面の中央部分と裏面は無地になっており、その無地部分に独自の絵柄や模様、写真、文字などを印刷したり、手書きしたりするだけで、オリジナルなトランプカードを手軽に作成しやすいようにトランプカードを形成する。【選択図】図１
0003155970.tif 000002
【実用新案登録請求の範囲】
【請求項１】
番号のカードがスペード、ハート、クラブ、ダイヤの四種類各１３枚とジョーカーのカードが２枚の計５４枚よりなるトランプのカードの正面の隅の部分にはスペード、ハート、ダイヤ、クラブの記号やA、２、３、４、５、６、７、８、９、１０、J、Q、K、JOKERなどの数字やアルファベットがあらかじめ雛形として印刷されているが、そのカードの正面の中央部分および裏面は無地になっており、その無地の部分には個人もしくは法人が独自の絵柄や模様、写真、文字などを印刷、手書きでの書き込み、写真や絵柄やシールなどの貼付ができるようになっており、独自のオリジナルなトランプカードを自分で作成しやすいように作成されたトランプカード。
【考案の詳細な説明】
【技術分野】
【０００１】
本考案は、個人もしくは法人が独自のオリジナルなトランプカードを作成しやすいように作成されたトランプカードに関するものである。
【背景技術】
【０００２】
従来、市販のトランプカードにはあらかじめ正面と裏面に様々な絵柄や模様、写真、文字などが印刷されており、そのカードに新たに独自のオリジナルのデザインを印刷もしくは手書きで書き込むことは実用的ではなかった。また、正面と裏面が無地のカードを使って独自のオリジナルトランプを作成する場合は、スペード、ハート、ダイヤ、クラブなどの記号やA、２、３、４、５、６、７、８、９、１０、J、Q、K、JOKERなどの数字やアルファベットをわざわざ書き込む必要があった。
【考案の概要】
【考案が解決しようとする課題】
【０００３】
これは、次のような欠点があった。トランプというカードゲームは世界中の大人から子供まで幅広く知られており、その正面や裏面のデザインを工夫することで、新しいオリジナルのゲームや教材、販売促進商品などとして活用できるのだが、従来、市販のトランプカードにはあらかじめ正面と裏面に様々な絵柄や模様、写真、文字などが印刷されており、そのカードに新たに独自のオリジナルのデザインを印刷もしくは手書きで書き込むことは実用的ではなかった。また、正面と裏面が無地のカードを使ってトランプを作成する場合は、スペード、ハート、ダイヤ、クラブなどの記号やA、２、３、４、５、６、７、８、９、１０、J、Q、K、JOKERなどの数字やアルファベットをわざわざ書き込む必要があった。本考察は、以上のような欠点をなくすためになされたものである。
【課題を解決するための手段】
【０００４】
カードの正面の隅の部分にはスペード、ハート、ダイヤ、クラブなどの記号やA、２、３、４、５、６、７、８、９、１０、J、Q、K、JOKERなどの数字やアルファベットがあらかじめ雛形として印刷されているが、カードの正面の中央部分および裏面は無地になっており、、個人もしくは法人がその無地部分に独自の絵柄や模様、写真、文字などを印刷したり、手書きで書き込んだり、写真や絵柄やシールなどを貼り付けたりすることで、個人もしくは法人が独自のオリジナルなトランプカードを手軽に作成しやすいように作成されたことを特徴とするトランプカード。
【考案の効果】
【０００５】
本考察のトランプカードの正面中央部分や裏面に、近年広く普及しているパソコンのプリンターやカード印刷できるコピー機等を使って絵柄や写真や文字などを印刷したり、写真や絵柄やシールなどを貼り付けたり、文字や絵柄などを書き込んだりするだけで、個人や法人がオリジナルトランプを容易に作ることができるようになる。
【図面の簡単な説明】
【０００６】
【図１】本考察の正面図である。
【図２】本考察の背面図である。背面図は全て同一につき1枚のみあらわした。
【図３】本考察の右側面図である。右側面図は全て同一につき1枚のみあらわした。左側面図は右側面図と同一であるため省略してある。
【図４】本考察の平面図である。平面図は全て同一につき1枚のみあらわした。底面図は平面図と同一であるため省略してある。
【考案を実施するための形態】
【０００７】
このトランプカードは、番号のカードがスペード、ハート、クラブ、ダイヤの四種類各１３枚とジョーカーのカードが２枚の計５４枚よりなる。トランプのカードの正面の隅の部分にはスペード、ハート、ダイヤ、クラブなどの記号やA、２、３、４、５、６、７、８、９、１０、J、Q、K、JOKERなどの数字やアルファベットがあらかじめ雛形として印刷されている。そのカードの正面の中央部分および裏面は無地になっており、その無地の部分には個人もしくは法人が独自の絵柄や模様、写真、文字などを印刷、手書きでの書き込み、写真や絵柄やシールなどの貼付ができるようになっている。
【実施例】
【０００８】
本考察のトランプカードの裏面には自分の会社のロゴマークを自分で印刷したり、正面には自分の会社で生産した製品を自分で印刷したりして、販売促進用の自社のオリジナルトランプとして使用する。また、本考察のトランプカードの裏面には大学で所属するサークル活動のロゴマークを自分で印刷したり、正面にはサークル活動の様子の写真を自分で印刷したりして、サークル活動紹介用のオリジナルトランプとして使用する。
【図２】
0003155970.tif 000003
【図３】
0003155970.tif 000004
【図４】
0003155970.tif 000005
【図１】
0003155970.tif 000006
(57)【要約】      （修正有）【課題】夏に涼しく快適に過ごせ、熱中症防止にもなる帽子を提供する。【解決手段】帽子１０の内側に薄いパットを装着してポケット１１を作り、その中に冷却パット１２を装着することで、着用時に重さを感じることなく、数時間は涼しく感じて快適に過ごせ、かつ、熱中症を防止できるようにして冷却ポケット付帽子を構成する。【選択図】図３
0003155929.tif 000002
【実用新案登録請求の範囲】
【請求項１】
帽子の内側にポケットを作りその中に冷却パットが装着できる構造を特徴とした帽子
【考案の詳細な説明】
【技術分野】
【０００１】この考案は、夏涼しく着用できる帽子に関する。
【背景技術】
【０００２】夏の屋外にて帽子を着用するとき帽子の内側に冷却パットを装着すれば数時間は涼しく感じ快適に過ごせまた熱中症を防ぐこともできます。
【考案が解決しようとする課題】
【０００３】今までの帽子は太陽の日差しを避けることが中心で涼しくなる物が見当たらなかった。
【考案の結果】
【０００４】内側に薄いパットを装着するだけなので着用時に重さを感じることもなく快適に着用できます。
【図面の簡単な説明】
【０００５】
【図１】考案の帽子
【図２】考案の帽子の内側
【図３】ポケットの拡大図
【符号の説明】
【０００６】１０  帽子
１１  ポケット
１２  冷却パット
【図１】
0003155929.tif 000003
【図２】
0003155929.tif 000004
【図３】
0003155929.tif 000005
(57)【要約】      （修正有）【課題】管理が容易で人々の目にとまりやすく好感をもって見られ広告効果が上がり、街中の美化・緑化も促進できるのぼり立てを提供する。【解決手段】のぼりが倒れないようにするための重石の変わりを花木を樹栽した長期給水不要の機能があるプランターにし、のぼりが風に揺れないよう固定する金物を組み込んだ。【選択図】図１
0003155927.tif 000002
【実用新案登録請求の範囲】
【請求項１】
店舗の前等に設置する広告用ののぼり立てで、のぼりが倒れないようにするための重石の変わりを花木を植栽した長期給水不要の機能があるプランターにし、のぼりが風で揺れないよう固定する金物を組み込んだ、街緑化用のぼり立て。
【考案の詳細な説明】
【技術分野】
【０００１】のぼりは常に風雨さらされており、特に風による揺れは長期に亘ると周囲を破壊してしまうので、のぼり立て部品は金物で作りのぼりを揺れないよう固定して、それをプランターに組み込んで安定した形にした。
【背景技術】
【０００２】長期給水不要プランターは、貯水槽から毛細管現象で給水するプランターを使用し、しばらく放置しても植物に影響ないようにした。
【考案の開示】
【考案が解決しようとする課題】
【０００３】本考案は、まず環境問題・ＣＯ２削減の問題から入り、街中にもっと緑を増やす方法はないかと考えて考案したもので、街中にたくさんある広告用ののぼりに着眼した。通常ののぼり立てはコンクリートブロック造りや水タンク等と無機質で味気ないので、花木を植栽したプランターを重石にすることにより街中が明るくなり、店舗の印象をよくしてのぼりも好感をもってみられ、環境にも役立つものを考案した。しかし植物への給水が難点で給水回数が少なくて済むプランターにのぼりを取り付けることを考案した。
【課題を解決するための手段】
【０００４】本考案は、のぼり立ての重石をコンクリートブロックや水タンクのかわりに、花木を植栽したプランターにすることで、店舗の印象をよくして街中の美化・緑化・環境にも役立つよう考案したもので、プランターにのぼり立て金物を固定させることにより風による揺れにも強く、プランターには四季の花々・緑豊かな低木を植えることができる。しかしのぼりの大多数は設置後そのまま放置されているものが多く植物への給水管理が危ぶまれる。そこで給水回数が少なくてもよい貯水槽から毛細管現象で給水するプランターにのぼりを取り付けることで、給水が困難な場所にも設置が可能になるし、設置したまましばらく放置しても植物は大丈夫で管理が容易である。
【考案の効果】
【０００５】給水回数が少なくてもよいプランターにのぼりを取り付けることにより、花木を植栽したのぼりを設置後しばらく放置しても植物には影響なく、管理が容易で人々の目にとまりやすく好感をもって見られ広告効果が上がり、何よりも街中の美化・緑化も促進できる効果がある。
【考案を実施するための最良の形態】
【０００６】のぼりが強風に耐えられるようのぼり立て部分の強度に留意し、プランターに組み込むのぼり立て部品を金物にすることで長期に亘る風の揺れに耐えられる。
また貯水槽から毛細管現象で給水するプランターは、図２の断面図のように大量の貯水ができるので、しばらく放置しても大丈夫である。
【実施例】
【０００７】下段の貯水槽から上段への水の吸い上げは、吸水用不織布・スポンジを通じてかなり効果があり、貯水量によっては長期間の自然給水が可能となる。
【図面の簡単な説明】
【０００８】
【図１】長期給水不要プランター付きのぼり立ての外観図とのぼり立て金物図
【図２】のぼりを立てた状態での断面図
【図３】のぼりを立てるバリエーション
【図面の符号の説明】
【０００９】１  上段植物を植えるプランター
２  下段貯水槽
３  給水口ホース入れ穴・排水兼用
４  のぼり立て金物
５  水
【図１】
0003155927.tif 000003
【図２】
0003155927.tif 000004
【図３】
0003155927.tif 000005
(57)【要約】      （修正有）【課題】キャップをペットボトル本体へ収納し、飲料時の利便性を図り、キャップの不必要な散乱を防止するペットボトルを提供する。【解決手段】ペットボトル成型時に、ペットボトルの肩部にキャップの円弧サイズのスリットを形成する、スリットにキャップと咬み合う構造を持たせる。現在市販されているペットボトルは、四角錐型、円柱型、容量等様々で有るが、ペットボトル肩部には形状に関係なくスリットを形成できる、また商標ラベルもスリットの干渉を受けないので、商標ラベルの貼付け技術は変更しなくて済む。【選択図】図１
0003155930.tif 000002
【実用新案登録請求の範囲】
【請求項１】
ペットボトル飲料の開封時にキャップの収納ができるスリットを形成した、ペットボトル
【考案の詳細な説明】
【技術分野】
【０００１】  本考案は、ペットボトル飲料の開封時に於いてペットボトルキャップをペットボトル本体へ容易に収納できる、ペットボトル成型に関する物で有る
【背景技術】
【０００２】  ペットボトル飲料は開封時（飲料時）に於いて、キャップの置き場所、処理等  その時々に於いて、キャップの扱いに難儀していた。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】ペットボトル飲料を飲料いている時に  キャップをペットボトル本体へ収納可能として飲料時に於いての利便性を図る、尚、キャップの不必要な散乱も防げる。
【課題を解決するための手段】
【０００６】ペットボトル成型時に、ペットボトルの肩部にキャップの円弧サイズのスリットを形成する、スリットにキャップと咬み合う構造を持たせる。
【考案の効果】
【０００７】現在市販されているペットボトルは、四角錐型、円柱型、容量等  様々で有るが、ペットボトル肩部には形状に関係なくスリットを形成できる、また商標ラベルもスリットの干渉を受けないので、商標ラベルの貼付け技術は変更しなくて済む。
【図面の簡単な説明】
【０００８】
【図１】本考案の四角錐型の実例図で有る。
【図２】本考案の円柱型の実例図で有る。
【図３】本考案の側面図で有る。
【考案を実施するための形態】
【０００９】ペットボトル肩部にキャップ円弧形状に合わせた、スリットを形成する
【実施例】
【００１０】図１の２にスリットを形成
図２の２ａにスリットを形成
【符号の説明】
【００１１】１  ペットボトル本体
２  スリット
３  キャップ
１ａ  ペットボトル本体
２ａ  スリット
３ａ  キャップ
【図１】
0003155930.tif 000003
【図２】
0003155930.tif 000004
【図３】
0003155930.tif 000005
(57)【要約】【課題】携帯電話の液晶画面の手の油や水滴や汗を何時でも何処でも手軽に拭くことができる汚れを取り除く機能を持った携帯電話器用の各種形状のストラップ型クリーナの布地を提供する。【解決手段】携帯電話に連結可能で、液晶画面の手の油や汚れを拭き取れる布地製又は柔らかい革製、又は樹脂製素材の布地を取り付けた各種形状をしたストラップを設け、携帯電話の液晶画面を容易に拭け、指紋とか人間の手の油等の汚れを落すことを特徴とするストラップ型クリーナ。【選択図】図１
0003155928.tif 000002
【実用新案登録請求の範囲】
【請求項１】
携帯電話１に連結可能な各種形状のストラップ２を設け、該各種形状のストラップ２に携帯電話１の液晶画面３を容易に綺麗に拭ける各種形状の布地４を有することを特徴とする携帯電話のストラップクリーナー。
【請求項２】
布地は、液晶画面の手の油、指紋、顔の頬の油等を容易に、綺麗に拭き取れる植物繊維の布地、柔らかいセーム革、樹脂製の素材からなり、ハンカチ、和紙、ボンボン、人形、動物、ハート型、丸型角型等の各種形状で平面的、又は立体的に構成された布地で、繰り返し手洗い可能な請求項１記載の携帯電話ストラップクリ−ナー。
【考案の詳細な説明】
【技術分野】
【０００１】  本考案は、携帯電話（ＰＨＳを含む）の液晶画面を拭くクリーナーに関するものである。
【背景技術】
【０００２】  従来、この種の携帯電話は手で握り、通話時には顔にも密着する為に手の皮脂、顔の油などが簡単に付着してしまい、携帯電話器の液晶部分をハンカチとか衣服とか又は手っ取り早く指とか手の平で液晶画面の表面を軽く拭いて、表面を綺麗にして使用している状態である。【０００３】
【特許文献１】  実用新案登録第３０８４０５０号公報。
【０００４】
【考案の概要】
【考案を解決しようとする課題】
【０００４】  本考案は、上記のように、携帯電話には、ポケットや手首から外れないように紐状の綺麗なデザインをしたストラップが使用されている、又、携帯電話は手の油で液晶画面がギラギラしたり、耳に当てて電話をする際に顔の汗、油もなどが液晶画面や本体に付着し、ハンカチ、柔らかい布等で拭いている。本考案ではこれらをアクセサリや飾りをかねた装飾品としても利用できるように解決するのが目的である。
【課題が解決するための手段】
【０００５】  本考案は、上述の課題を解決するために、携帯電話１の表面、液晶画面３を拭ける各種形状の柔らかい素材の平面的、立体的な布製の各種ストラップ２を取付け、液晶画面３を何時でも何処でも手軽に拭く事が出来る汚れを取り除く機能を備えたストラップ型のクリーナの布地を提供する。
【考案の効果】
【０００６】  携帯電話に液晶画面を拭く事の出来るストラップ型のクリーナで各種形状をした平面的又は立体的に構成された布地を取付ける事により、常に携帯電話の液晶画面の汚れ、手の油、指紋、顔の頬の油、塵等を容易に、擦る事により常に清潔に出来、何時でも、何処でも使用することができる効果が発生する。
【考案を実施するための形態】
【０００７】携帯電話の表面、液晶画面を拭ける布製の各種形状のストラップを携帯電話に取りつけ、その液晶画面を何時でも何処でも手軽に拭く事が出来る汚れ、塵等を取り除く機能を備えた各種形状のストラップ型のクリーナを設け、ハンカチ、柔らかいセーム革、チリ紙、ボンボン、人形、動物等の各種形状で平面的、又は立体的に構成された布地を提供する。
【図面の簡単な説明】
【０００８】
【図１】本考案を携帯電話に取り付けた実施図
【図２】本考案を携帯電話に取り付けた他の実施図
【符号の説明】
【０００９】  １  携帯電話
２  各種形状のストラップ
３  液晶画面
４  各種形状の布地
【図１】
0003155928.tif 000003
【図２】
0003155928.tif 000004
(57)【要約】      （修正有）【課題】形態面においてデザイン性に優れ、かつ、製造容易に得られる使い捨てカップを提供する。【解決手段】シート基材が型成形されて周壁部２と底部３とが一体のカップ形態とされた使い捨てカップにおいて、シート基材と底部３との形態それぞれが互いに異なることで、周壁部２の高さがその周方向において異なる構成とした。【選択図】図１
0003155922.tif 000002
【実用新案登録請求の範囲】
【請求項１】
シート基材が型成形されて周壁部と底部とが一体のカップ形態とされた使い捨てカップにおいて、
前記シート基材と前記底部との形態それぞれが互いに異なることで、前記周壁部の高さがその周方向において異なることを特徴とする使い捨てカップ。
【請求項２】
前記シート基材が楕円形で、前記底部が正円形である請求項１記載の使い捨てカップ。
【考案の詳細な説明】
【技術分野】
【０００１】  この考案は、シート基材が型成形によりカップ形態とされたもので、弁当箱内におかずを区分けして入れるように用いたり、また、パーティー等において菓子等を入れるように用いる使い捨てカップに関する。
【背景技術】
【０００２】  上記の使い捨てカップとしてはアルミホイルよりなるものが一般的であるが、この種のものは単に食材を区分けして納める容器としての機能は持つものの、デザイン面において限界がある。そこで、最近では弁当箱内におかずを可愛く、美しく配置するように、デザイン模様等が付されたプラスチック材等のシート製のカップが提供されている。また、パーティー等においてもこのようなデザイン性に優れるカップが用いられるようになっている。
【考案の概要】
【考案が解決しようとする課題】
【０００３】  しかしながら、従来の使い捨てカップはその形態において周壁部が一定高さで単調な感が有り、この点においてデザイン面において限界があった。【０００４】  この考案は上記の点に鑑みて行ったもので、形態面においてデザイン性に優れ、かつ、製造容易に得られる使い捨てカップを提供することを目的とする。【０００５】  この考案では、シート基材が型成形されて周壁部と底部とが一体のカップ形態とされた使い捨てカップにおいて、前記シート基材と前記底部との形態それぞれが互いに異なることで、前記周壁部の高さがその周方向において異なる構成とした。【０００６】  上記構成の使い捨てカップは、シート基材と底部との形態それぞれが互いに異なることで、型成形された際に周壁部の高さがその周方向において異なり、これにより、使い捨てカップは周壁部高さに変化を持ったデザイン性に優れるものとなり、また、食品も露呈する部分が多くなることで従来に比して使い捨てカップ内に見栄えを考慮して納められてデザイン性が高められる。また、シート基材と底部との形態それぞれが互いに異なるようにして型成形することのみにより、その他の加工を要することなく容易に周壁部の高さを変化させることができる。【０００７】  シート基材としては、紙材、プラスチックフィルム、アルミ箔等適宜のものが用いられる。また、シート基材の形態は適宜であってよく、また、その形態と異なれば底部の形態も適宜とされればよく、それら形態が適宜対応して選択されることで、周壁の高さ変化も適宜に設計される。
【考案の効果】
【０００８】  この考案によれば、形態においてデザイン性に優れるお弁当やパーティー等において楽しく用いられる使い捨てカップが提供できる。また、そのような使い捨てカップが製造容易に得られる。
【図面の簡単な説明】
【０００９】
【図１】  この考案の使い捨てカップの第１の実施形態の外観斜視図
【図２】  この考案の使い捨てカップを製造するための基材シートの第１の実施形態の平面図
【図３】  この考案の使い捨てカップの第２の実施形態の外観斜視図
【図４】  この考案の使い捨てカップを製造するための基材シートの第２の実施形態の平面図
【図５】  この考案の使い捨てカップの第３の実施形態の外観斜視図
【図６】  この考案の使い捨てカップを製造するための基材シートの第３の実施形態の平面図
【考案を実施するための形態】
【００１０】  図１はこの考案の使い捨てカップの第１の実施形態の外観斜視図である。
【００１１】  使い捨てカップ１は、縦方向に複数本の折り込み部４が並設され上方が開く周壁部２と、その下部に連続一体の底部３とからなる。使い捨てカップ１の製造は、多数枚重ねられた紙製の基材シート５が型内に納められ加熱成形されることで行われる。図２は基材シート５の平面形態を示し、その全体形態は楕円形で底部３は正円形に形成される。なお、基材シート５としては表面に印刷模様が付されたものを使用するが、この実施形態においてはその図示を省略している。
【００１２】  上記のように、楕円形のシート基材５が用いられ底部３が正円形とされることで、使い捨てカップ１は周壁部２における一対の向かい合う部分７、７が高くその間の向かい合う部分８、８が低くなっている。このように周壁部２は高さの異なる部分を持って変化に富んだデザインとなり、また、食品も部分８、８に相対する位置で露呈量が多くなることで従来に比して使い捨てカップ１内にデザイン性豊かに納められるようになる。さらに、向かい合う部分７、７が通常より高く突出する形態とされることで、その部分が食品を区分けするバランように位置し、これにより、弁当箱内におかず等の食品が整然と見栄え良く納められる。
【００１３】  図３はこの考案の使い捨てカップの第２の実施形態の外観斜視図、図４はそれを製造する基材シート５の平面図である。
【００１４】  この実施形態においては、正円形のシート基材５が用いられ底部３が楕円形とされることで、使い捨てカップ１は一対の向かい合う部分９、９が高くその間の向かい合う部分１０、１０が低くなっている。部分９、９には折り込み部４を設けない構成としている。
【００１５】  図５はこの考案の使い捨てカップの第３の実施形態の外観斜視図、図６はそれを製造する基材シート５の平面図である。
【００１６】  この実施形態においては、正方形でその角部が丸くされたシート基材５が用いられ底部３が正円形とされることで、使い捨てカップ１は二対の向かい合う部分１１、１１、１１、１１が高くその間の向かい合う部分１２、１２、１２、１２が若干低くなっている。
【符号の説明】
【００１７】１    使い捨てカップ
２    周壁部
３    底部
５    基材シート
【図１】
0003155922.tif 000003
【図２】
0003155922.tif 000004
【図３】
0003155922.tif 000005
【図４】
0003155922.tif 000006
【図５】
0003155922.tif 000007
【図６】
0003155922.tif 000008
(57)【要約】【課題】  新規な味付け納豆製品を得ることを目的とする。【解決手段】  ポリプロピレン製などの納豆容器内に充填・密封・包装される納豆が、常法により発酵・熟成された納豆と、乾燥処理した後に湯掻きし、旨味タレに浸漬することで得られる納豆の味付け具材に利用される大根のスライス片と、乾燥処理した後に湯掻きして適宣大きさに刻んで旨味タレに浸漬することで得られる納豆の味付け具材に利用される大根の葉と、からなり、前記納豆と、前記大根のスライス片からなる味付け具材および、前記大根の葉からなる味付け具材とを適度に絡む程度に混ぜ合わせるようにし、かつ、常温および冷蔵での保存を可能にし、可食可能としたことを特徴としている。【選択図】図２
0003155917.tif 000002
【実用新案登録請求の範囲】
【請求項１】
ポリプロピレン製などの納豆容器内に充填・密封・包装される納豆が、常法により発酵・熟成された納豆と、乾燥処理した後に湯掻きし、旨味タレに浸漬することで得られる納豆の味付け具材に利用される大根のスライス片と、乾燥処理した後に湯掻きして適宣大きさに刻んで旨味タレに浸漬することで得られる納豆の味付け具材に利用される大根の葉と、からなり、前記納豆と、前記大根のスライス片からなる味付け具材および、前記大根の葉からなる味付け具材とを適度に絡む程度に混ぜ合わせるようにし、かつ、常温および冷蔵での保存を可能にし、可食可能としたことを特徴とする納豆製品。
【考案の詳細な説明】
【考案の詳細な説明】
【技術分野】
【０００１】  本考案は、納豆製品の改良に関するものである。
【技術背景】
【０００２】  納豆は健康食品としての需要が多い。
【考案の開示】
【考案が解決しようとする課題】
【０００３】  従来、納豆メーカー各社において製造される納豆の風味は略，画一化している。【０００４】  すなわち、市販されている納豆商品形態は、図１に示す如く、ポリプロピレン製などの納豆容器１内に収容されている納豆２に、タレ入り小袋３と、カラシ入り小袋４がセットされていて、納豆２にタレ・カラシを振りかけて掻き混ぜ、可食可能とした旧態依然のものである。
そのため昨今の多様化した消費者の食品趣向に対応すべく工夫された新しい納豆製品の開発が要請される。
【課題を解決するための手段】
【０００５】  本考案は、上記の要請に鑑みなされた納豆製品であって、本考案の目的とするところは、納豆を食する際に、納豆タレや納豆カラシ等の味付け調味料使用を不用にすることができるとともに、納豆を納豆タレ等で掻き混ぜて食するような煩わしさを解消することができ、かつ、新風味にして栄養価が高く、しかも食べ易く嗜好性に富むような納豆製品を提供するにあり、詳しくは、本考案の納豆製品は、ポリプロピレン製などの納豆容器内に充填・密封・包装される納豆が、常法により発酵・熟成された納豆と、乾燥処理した後に湯掻きし、旨味タレに浸漬することで得られる納豆の味付け具材に利用される大根のスライス片と、乾燥処理した後に湯掻きし、適宣大きさに刻んで旨味タレに浸漬することで得られる納豆の味付け具材に利用される大根の葉と、からなり、前記納豆と、前記大根のスライス片からなる味付け具材および前記大根の葉  からなる味付け具材とを適度に絡む程度に混ぜ合わせるようにし、かつ、常温および冷蔵での保存を可能にし、可食可能としたことを特徴とする納豆製品を提供するにある。
【考案の効果】
【０００６】  本考案は、以上説明したような形態で実施され、以下に記載するような効果を奏する。【０００７】  本考案による納豆製品は、適量の納豆と、旨味タレに浸漬して得られる前記大根のスライス片と、旨味タレに浸漬して得られる前記大根の葉との混合により製造可能としているから、納豆本来の風味・食感に、大根のスライス片の風味・食感と、大根の葉の風味・食感が加わり、新風味にして栄養価が高く、しかも美味で新嗜好性に富む商品形態の納豆製品を形成する。【０００８】  また、本考案は、納豆を納豆タレや納豆カラシ等で掻き混ぜて食するような煩わしさがないから非常に食べ易く、そして、兎角捨て勝ちな大根の葉を納豆の味付け材料として有効活用することができる。
【考案を実施するための最良の形態】
【０００９】  本考案の実施例を、図２，図３に基き説明すると、本考案に係る納豆製品１１は、ポリプロピレン製などの蓋付き納豆容器１２と、該納豆容器１２に充填・密封される納豆１３と、該納豆１３に混合し、該納豆の味付け具材として供される大根のスライス片１４と、該納豆１３の味付け具材として供される大根の葉１５、とからなり、前記大根のスライス片１４は、乾燥処理後に湯掻きし、旨味タレに浸漬することで得られるものである。【００１０】  また、前記大根の葉１５は、乾燥処理後に湯掻きして、適宣大きさに刻んで旨味タレに浸漬することで得られるものである。
【図面の簡単な説明】
【図１】  従来例の納豆製品の実施形態を示す説明図である。
【図２】  本考案に係る納豆製品の実施形態を示す斜視図である。
【図３】  本考案に係る納豆製品の実施構造を示す説明図である。
【符号の説明】  １１  納豆製品
１２  蓋付き納豆容器
１３  納豆
１４  大根のスライス片
１５  大根の葉
【図１】
0003155917.tif 000003
【図２】
0003155917.tif 000004
【図３】
0003155917.tif 000005
(57)【要約】      （修正有）【課題】手が痺れることがなく長時間、荷物を持つことが可能な簡易バッグを提供する。【解決手段】エンドレスの帯状体の一点を端と定め、その端を底辺とし構成することによって出来る空間をバッグとして活用する。荷物の入っている部分を錘のようにして天秤のように肩に担いだりすることによって手で荷物を持つ負担が減る。エプロンや、ショールとなるため身にまとったり、鞄に付けることで携帯が容易になる。【選択図】図２
0003155920.tif 000002
【実用新案登録請求の範囲】
【請求項１】
エンドレスの帯状体の輪となる一点を端を定め、その端を底辺とし構成した簡易バッグであり、帯状体の短手方向の端部に固着材を複数個取り付けて物を投入する際の落下防止とした簡易バッグ。
【考案の詳細な説明】
【技術分野】
【０００１】
本考案は、多量の荷物の持ち運びの際起こる手の痺れを軽減する。またエプロン、ショールとしても使用可能な簡易バッグに関するものである。
【背景技術】
【０００２】
従来、環境に配慮し、鞄の中に入れて持ち歩く携帯バッグや、買い物かご、スーパーで貰うレジ袋があった。
【先行技術文献】
【特許文献】
【０００３】
【特許文献１】特開２０００−２２５０１５号公報
【特許文献２】特開２００３−１３７３０４号広報
【考案の概要】
【考案が解決しようとする課題】
【０００４】
買い物などをした際、買った物をスーパーで貰うレジ袋に入れ、手で提げて持ち歩くか、持参したエコバッグに入れ持ち帰っていた。しかしレジ袋は手に食い込んでしまうこともあり、長時間持つことが困難だった。持参したエコバッグも、買い物量が多く、一つでは買い物した品物が入りきらない事や、携帯することを忘れてしまうことが多々あった。
【課題を解決するための手段】
【０００５】
本考案の簡易バッグは、エンドレスの帯状体の生地で形成。帯状体の生地が重なり折り返す部分を輪と考え、その輪の部分を袋の底とすることによって品物を入れる所が出来る。
【考案の効果】
【０００６】
折りたたむ事なく身につけたり、鞄にアクセントとして結ぶことで携帯忘れを防ぐ事が出来る。袋として使用時には、帯状体の折り返し部分２箇所に物を入れ、荷物を対照として見た時の帯状体中央部分を肩に背負い天秤のように担ぐことにより容易に荷物を持つことが可能。帯状体の折り返す輪の部分を利用して腕を通し、通した腕の反対側に荷物を入れ、持つ事も出来る。手で握り持つこともなく、両手も開けることが出来る為、長時間の荷物の持ち歩きも可能。
【図面の簡単な説明】
【０００７】
【図１】本考案の簡易バッグの本体正面図である。
【図２】本考案の簡易バッグにあたる本体斜視図である。（実施例１）
【図３】本考案の簡易バッグとして使用時の斜視図である。（実施例２）
【図４】本考案の簡易バッグのバッグ実施方法を示す模式図である。（実施例３）
【図５】本考案の簡易バッグのエプロン、ショール実施方法を示す模式図である。（実施例４）
【考案を実施するための形態】
【０００８】
以下、本考案を実施する為の最良の形態について説明する。物を入れても破れないよう耐久性のある生地、袋として使用する際、物がこぼれないようスナップやファスナー、ボタン等で投入口をふさぐ。エプロン使用時の紐状のベルトは鞄に付ける際の落下防止と共にアクセントとして使用。
【実施例１】
【０００９】
以下添付図面に従って一実施例を説明する。図２の実施例は、投入物４を簡易バッグ本体１の生地の輪（バッグ底辺）５を形成されている部分に入れこぼれ落ちないようスナップ２等で覆う。
【実施例２】
【００１０】
図３の実施例は図２で示すように投入物４を輪（バッグ底辺）５に入れスナップ等２で覆った状態を示す。簡易バッグ中央部６を肩に当て背負う。
【実施例３】
【００１１】
図４の実施例は、簡易バッグの持ち方の実施例である。正面図（Ａ−１）と側面図（Ａ−２）で示すように投入物４を簡易バッグ本体１の両端の輪（バッグ底辺）５に入れスナップ２等で収納した後、簡易バッグ中央部６を肩に掛け天秤のように担いでも良いし、正面図（Ｂ−１）と側面図（Ｂ−２）で示すように輪（バッグ底辺）５の片方だけに投入物４を入れ、投入物４を入れないもう片方の輪（バッグ底辺）５の部分に腕を通しても良い。
【実施例４】
【００１２】
図５の実施例は、バッグとして使用しないとき（Ａ）に示すように輪（バッグ底辺）５を首に掛けエプロンにしたり、（Ｂ）に示すように簡易バッグ本体１を肩にはおりショールとして身にまとったりすることが出来便利である。
【産業上の利用可能性】
【００１３】
携帯するときは身にまとうことも出来、ショールを鞄に結びつけ持ち歩くことも可能な為、エコバッグとして持ち歩くことが出来る。買い物後は、手にバッグを握り持つことなくバッグを背負い荷物を持ち運べ、両手が自由となるため、子供連れ、老人など安全に買い物が出来る。
【符号の説明】
【００１４】
１    簡易バッグ本体
２    スナップ等
３    ベルト
４    投入物
５    輪（バッグ底辺）
６    簡易バッグ中央部
【図１】
0003155920.tif 000003
【図２】
0003155920.tif 000004
【図３】
0003155920.tif 000005
【図４】
0003155920.tif 000006
【図５】
0003155920.tif 000007
(57)【要約】      （修正有）【課題】大型車両の通行の際前方に有る信号を後続の運転手に伝えるため、ボデイの上に左右二枚のミラーを角度を変えて設置することで正確に受像し、前方の信号を後続者に伝えることができるミラー装置を提供する。【解決手段】自動車が通行する時、道路に設置してある信号機を大型車両がさえぎって信号を確認する事が出来ない状況に対応すべく、ボデイの後部上に複数のミラーを設置する。一枚は斜め前に向け信号を受像し、もう一枚はふくらみの有るミラーを設置する事で斜め前向けに受像した信号をキヤッチして、後続の車に正確に伝えることが出来るように構成する。【選択図】図１
0003155431.tif 000002
【実用新案登録請求の範囲】
【請求項１】
大型車両と
【請求項２】
この大型車両本体の屋根の後部面に備えられると共に前方の信号を受像する受像ミラーと
【請求項３】
この受像ミラーの受像信号を後方車両に照射する反射ミラーとで成したことを特徴とした大型車両におけるミラー装置で大型ボデイでみえない信号を後続車に正確に伝えることが出来る交通安全に重要な装置
【考案の詳細な説明】
【技術の分野】
【０００１】本考案は特に交差点等で大型車両が信号待ちで停止している時後続車の運転手にボデイの屋根から左右二枚のミラーを設置することで塞がれた信号を後続車に正確に伝えられて交通事故防止に重要な装置
【背景技術】
【０００２】信号待ち等では車間を多く取ることが限られる為前方の信号が車両のボデイでふさがって見ることが困難なためトラックの後部上からミラーで後続車に伝える為です
【先行技術文献】
【特許文献】
【０００３】前途の交通信号を後続車の運転手に正確に伝え安全運転につなげる手段であります
【考案が解決しようとする課題】
【０００４】  本考案は自動車を通行する時道路に設置してある信号機を大型車両がさえぎって信号を確認する事が出来ない為ボデイの後部上にミラーを設置一枚は斜め前に向け信号を受像し
もう一枚はふくらみの有るノミラーを設置する事で斜め前向けに受像した信号をキヤッチして後続の車に正確に伝えることが出来る交通安全に重要な装置です
【考案の効果】
【０００５】  前途の設置方法で海外の右側通行の場合は設置が左右ギャクに取付する，
ふくらみの有るミラーを使うことで後続の運転席の高さが変化しても正確に確認できて安全です
小形のミラーで充分伝える事ができて信号末確認の車が無く成り事故防止の装置です
【考案を実施するための最良の形態】
【０００６】  本考案は交通信号を大型車両でのさえぎりを二枚のミラーでさえぎりを無くして信号を正確に後続車に伝え特に交差点でゆっくり走行している時必要です無理な交差点へ進入がなくなり正確な信号確認が出来るので交通事故防止に役立てる装置です
【図面の簡単な説明】
【０００７】
【図１】本考案は大型車両の実施例としてあげた図面です前方の信号を車体の高い場所から二枚のミラーを設置して大型ボデイで隠れた信号を後続車に正確に伝え交通安全の装置
【図２】前方の信号をミラー受像し受像した信号を後方に伝えるミラーを設置した側面図
【符号の説明】
【０００８】Ａ前方信号方向に斜めに向けた受像ミラー
ＢふくらみのミラーでＡでの受像を後方に伝えるミラー
Ｃ大型車両車体
【図１】
0003155431.tif 000003
【図２】
0003155431.tif 000004
【手続補正書】
【提出日】平成21年8月20日(2009.8.20)
【手続補正１】
【補正対象書類名】実用新案登録請求の範囲
【補正対象項目名】全文
【補正方法】変更
【補正の内容】
【実用新案登録請求の範囲】
【請求項１】
大型車両と、この大型車両本体の屋根の後部面に備えられると共に前方の信号を受像する受像ミラーと、この受像ミラーの受像信号を後方車両に照射する反射ミラーとで成したことを特徴とした大型車両におけるミラー装置で大型ボデイで隠れて見えない信号を後続車に正確に伝えることが出来る為、信号無視車両と衝突事故防止に役立てる交通安全に重要な装置。
(57)【要約】      （修正有）【課題】腹を手術した時  体内からの圧力により縫った糸が切れないように外から保護する腹手術ガードを提供する。【解決手段】背中１から身体の両脇の所に回した板の先に丁番２で前板３をつなぎ、その前板は自由に閉開の可能な枠とする。それにより身体を外に出したり戻したり出来る。前板３を正面合せでダボをタボ受に入れ木ネジ６で止める事により体内からの圧力に耐えられる取り外し可能な腹手術ガードを形成する。【選択図】図１
0003155440.tif 000002
【実用新案登録請求の範囲】
【請求項１】
背中の所から両脇に回した板の左右の先の前記左右の先の前板を丁番で繋ぎその前板を前記前板を腹の前で正面合せの内面にダボを付け向い側の内面にあるダボ受けに入れ合せる事によりづれないようにし  その正面合せた所の  前記合せた所に  木ネジで止め動かないようにした  これで案心して手術も出来る  取り外し  可能な腹手術ガード
【考案の詳細な説明】
【技術分野】
【０００１】  本考案は外科手術により手術した所の糸が切れないようガードする物てある
【背景技術】
【０００２】  ６年前直腸癌で入院した所  肺気腫でタン持なのでタンを出す時に目から火花が出る  身体から汗が噴き出し手術で縫った所が破裂してしまった  切れた所がジクジクして新しい皮が出来るまで半年かかりました  新しく出来た皮の分、腹が出てしまいました
【考案の開示】
【考案が解決しようとする課題】
【０００３】
0003155440.tif 000003
ただし万が１つ死ぬ場合もあると言う  それでは困る  子法の時からタバコを吸っていたので  １生タンはとまらないと先生は言っていた  何とか案心して手術の出来るようにしたいと思いながら退院しました
【課題を解決するための手段】
【０００４】  肺から出るタンは身体全体に力を入れないとタンが出ない  手術しても破裂しないよう  外から強力な押さいる物を作らなければならない
【考案の効果】
【０００５】  そこで骨折の時に使う添木のように腹をガードすれば良いと思い固定枠を作る事にした  これにより  案心して手術を受けられる
【考案を実施するための最良の形態】
【０００６】  この固定枠は腹の後方背中より左右の肋骨弓の下と腸骨の上の間から前面に回し正面合せでダボと木ネジでとめ動かないようにする
【実施例】
【０００７】  以下添付図面に従って実施例を説明する１は腹の後方背中板で全体をささいる板です２の丁番は３の前板が自由に開く事が出きます  前記３の前板は手術の時に外から押える板であるその両脇から来た板を  前記３の正面合せの所で両脇から来る所の面に４のダボ  ５のダボ受けを合せづれないようにし  前記づれないようにした外側に木ネジで動かないようにした【０００８】  本体の１の背中板の上バと３前板上バ肋骨の下側を回りミゾオチと臍の中間の所が板の上バであり  下側は  １背中板の下バ  ３前板下バの座骨の上バを回り恥骨と臍の中間の所が板の下バです【０００９】  本体  １と３の内側の板の角の上下をボーズ面を取って痛くないようにした  本体腹ガードは  これを付けたままで  身体は自由に立ったり座ったり  動く事が出来る
【図面の簡単な説明】
【００１０】
【図１】  本考案の斜上からの図面である
【図２】  本考案の前を開いた正面斜上である
【図３】  本考案の正面の１部切断面図である
【符号の説明】
【００１１】  １  後方背中板
２  丁番
３  前板
４  ダボ
５  ダボ受
６  木ネジ
【図１】
0003155440.tif 000004
【図２】
0003155440.tif 000005
【図３】
0003155440.tif 000006